(57)【要約】  本願はネットワーク接続設定方法及び関連製品を開示し、方法は、第1のユーザ装置はネットワーク接続を確立又は修正する必要があることを確定した場合、前記第1のユーザ装置はネットワーク装置に第1のメッセージを送信することを含み、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられる。本願の実施例によれば、Relay UEはRemote UEのためにネットワーク接続を確立又は修正することができる。
2020518158.tif 000002
【特許請求の範囲】
【請求項１】
第1のユーザ装置はネットワーク接続を確立又は修正する必要があることを確定した場合、前記第1のユーザ装置はネットワーク装置に第1のメッセージを送信することを含み、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることを特徴とするネットワーク接続設定方法。
【請求項２】
前記第1のメッセージは更に、前記ネットワーク装置が前記第1のユーザ装置の要求するネットワーク接続を受け入れるかどうかを確定することに用いられることを特徴とする請求項1に記載の方法。
【請求項３】
前記第1のユーザ装置がネットワーク接続を確立又は修正する必要があることを確定する前に、前記方法は更に、
前記第1のユーザ装置は第2のユーザ装置が送信した第2のメッセージを受信し、前記第2のメッセージは前記第2のユーザ装置が確立する必要があるネットワーク接続の接続タイプを指示するためのものであることを含むことを特徴とする請求項1又は2に記載の方法。
【請求項４】
前記第2のユーザ装置が確立する必要があるネットワーク接続の接続タイプを前記第1のユーザ装置は確立していない場合、前記第1のユーザ装置は確立する必要があるネットワーク接続を確定し、前記第1のメッセージにより確立を要求するネットワーク接続の接続タイプは、前記第2のユーザ装置が確立する必要があるネットワーク接続の接続タイプを含むことを特徴とする請求項3に記載の方法。
【請求項５】
前記第2のメッセージはPC5のシグナリングであり、前記PC5のシグナリングのメッセージタイプは、前記Remote UEが確立する必要があるネットワーク接続の接続タイプを指示するためのものであることを特徴とする請求項2〜4のいずれか1項に記載の方法。
【請求項６】
前記第2のメッセージはデバイスツーデバイスの間の発見メッセージであり、前記発見メッセージはメッセージタイプを含み、前記メッセージタイプのコンテンツタイプは、前記Remote UEが確立する必要があるネットワーク接続の接続タイプを指示するためのものであることを特徴とする請求項2〜4のいずれか1項に記載の方法。
【請求項７】
前記第1のメッセージにより確立又は修正を要求するネットワーク接続の接続タイプがSRBである場合、前記第1のメッセージはRRCメッセージであり、前記RRCメッセージは表記を含み、前記表記は前記第1のユーザ装置の要求するネットワーク接続のサービスする装置が、前記第1のユーザ装置以外の少なくとも1つのユーザ装置であることを指示することに用いられることを特徴とする請求項1〜6のいずれか1項に記載の方法。
【請求項８】
前記RRCメッセージがRRC接続要求メッセージである場合、前記表記は前記RRC接続要求メッセージにおける新たに追加された確立原因（establishment Cause）のドメイン値であり、又は、前記表記は前記RRC接続要求メッセージにおける一定のestablishment Causeのドメイン値であることを特徴とする請求項7に記載の方法。
【請求項９】
前記RRCメッセージがRRC接続確立完了メッセージである場合、前記表記は前記RRC接続確立完了メッセージに含まれる第1の指示情報であることを特徴とする請求項7に記載の方法。
【請求項１０】
前記RRCメッセージがリンクUE情報（sidelink UE Information）メッセージである場合、前記表記は前記リンクUE情報メッセージに含まれる第2の指示情報であることを特徴とする請求項7に記載の方法。
【請求項１１】
前記第1のメッセージにより確立を要求するネットワーク接続の接続タイプがSRBとDRBである場合、前記第1のメッセージは改善されたNASメッセージであることを特徴とする請求項1〜6のいずれか1項に記載の方法。
【請求項１２】
前記第1のメッセージにより確立を要求するネットワーク接続の接続タイプがSRBとDRBである場合、前記第1のメッセージは改善されたRRCメッセージであることを特徴とする請求項1〜6のいずれか1項に記載の方法。
【請求項１３】
ネットワーク装置は第1のユーザ装置がネットワーク接続を確立又は修正する必要があることを確定した場合に送信した第1のメッセージを受信し、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることと、
前記ネットワーク装置は前記第1のメッセージに基づいて、前記第1のユーザ装置の要求するネットワーク接続を受け入れるかどうかを確定することと、を含むことを特徴とするネットワーク接続設定方法。
【請求項１４】
前記第1のメッセージにより確立を要求するネットワーク接続の接続タイプがSRBである場合、前記第1のメッセージはRRCメッセージであり、前記RRCメッセージは表記を含み、前記表記は前記第1のユーザ装置の要求するネットワーク接続のサービスする装置が、前記第1のユーザ装置以外の少なくとも1つのユーザ装置であることを指示することに用いられることを特徴とする請求項13に記載の方法。
【請求項１５】
前記RRCメッセージがRRC接続要求メッセージである場合、前記表記は前記RRC接続要求メッセージにおける新たに追加された確立原因（establishment Cause）のドメイン値であり、又は、前記表記は前記RRC接続要求メッセージにおける一定のestablishment Causeのドメイン値であることを特徴とする請求項14に記載の方法。
【請求項１６】
前記RRCメッセージがRRC接続確立完了メッセージである場合、前記表記は前記RRC接続確立完了メッセージに含まれる指示情報であることを特徴とする請求項14に記載の方法。
【請求項１７】
前記RRCメッセージがリンクUE情報（sidelink UE Information）メッセージである場合、前記表記は前記リンクUE情報メッセージに含まれる第2の指示情報であることを特徴とする請求項14に記載の方法。
【請求項１８】
前記第1のメッセージにより確立を要求するネットワーク接続の接続タイプがSRBとDRBである場合、前記第1のメッセージは改善されたNASメッセージであることを特徴とする請求項13に記載の方法。
【請求項１９】
前記第1のメッセージにより確立を要求するネットワーク接続の接続タイプがSRBとDRBである場合、前記第1のメッセージは改善されたRRCメッセージであることを特徴とする請求項13に記載の方法。
【請求項２０】
第2のユーザ装置は第1のユーザ装置に第2のメッセージを送信することを含み、
前記第2のメッセージは前記第2のユーザ装置が確立する必要があるネットワーク接続の接続タイプを指示するためのものであり、前記第2のメッセージは更に、前記第1のユーザ装置がネットワーク接続を確立又は修正する必要があるかどうかを確定することに用いられることを特徴とするネットワーク接続設定方法。
【請求項２１】
前記第2のメッセージはPC5のシグナリングであり、前記PC5のシグナリングのメッセージタイプは、前記Remote UEが確立する必要があるネットワーク接続の接続タイプを指示するためのものであることを特徴とする請求項20に記載の方法。
【請求項２２】
前記第2のメッセージはデバイスツーデバイスの間の発見メッセージであり、前記発見メッセージはメッセージタイプを含み、前記メッセージタイプのコンテンツタイプは、前記Remote UEが確立する必要があるネットワーク接続の接続タイプを指示するためのものであることを特徴とする請求項20に記載の方法。
【請求項２３】
通信システムに適用されるユーザ装置であって、前記通信システムは第1のユーザ装置、第2のユーザ装置及びネットワーク装置を備え、前記ユーザ装置は第1のユーザ装置であり、処理ユニットと通信ユニットを備え、
前記処理ユニットは、前記第1のユーザ装置はネットワーク接続を確立又は修正する必要があることを確定した場合、前記通信ユニットにより前記ネットワーク装置に第1のメッセージを送信することに用いられ、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることを特徴とするユーザ装置。
【請求項２４】
処理ユニットと通信ユニットを備え、
前記処理ユニットは、前記通信ユニットにより第1のユーザ装置がネットワーク接続を確立又は修正する必要があることを確定した場合に送信した第1のメッセージを受信することに用いられ、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられ、
前記処理ユニットは更に、前記第1のメッセージに基づいて、前記第1のユーザ装置の要求するネットワーク接続を受け入れるかどうかを確定することに用いられることを特徴とするネットワーク装置。
【請求項２５】
通信システムに適用されるユーザ装置であって、前記通信システムは第1のユーザ装置、第2のユーザ装置及びネットワーク装置を備え、前記ユーザ装置は第2のユーザ装置であり、処理ユニットと通信ユニットを備え、
前記処理ユニットは、前記通信ユニットにより前記第1のユーザ装置に第2のメッセージを送信することに用いられ、
前記第2のメッセージは前記第2のユーザ装置が確立する必要があるネットワーク接続の接続タイプを指示するためのものであり、前記第2のメッセージは更に、前記第1のユーザ装置がネットワーク接続を確立する必要があるかどうかを確定することに用いられることを特徴とするユーザ装置。
【請求項２６】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項1〜12のいずれか1項に記載の方法におけるステップを実行するための指令を含むことを特徴とするユーザ装置。
【請求項２７】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項13〜19のいずれか1項に記載の方法におけるステップを実行するための指令を含むことを特徴とするネットワーク装置。
【請求項２８】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項20〜22のいずれか1項に記載の方法におけるステップを実行するための指令を含むことを特徴とするユーザ装置。
【請求項２９】
電子データ交換のためのコンピュータプログラムが記憶され、前記コンピュータプログラムによりコンピュータは請求項1〜12のいずれか1項に記載の方法を実行することを特徴とするコンピュータ読み取り可能な記憶媒体。
【請求項３０】
電子データ交換のためのコンピュータプログラムが記憶され、前記コンピュータプログラムによりコンピュータは請求項13〜19のいずれか1項に記載の方法を実行することを特徴とするコンピュータ読み取り可能な記憶媒体。
【請求項３１】
電子データ交換のためのコンピュータプログラムが記憶され、前記コンピュータプログラムによりコンピュータは請求項20〜22のいずれか1項に記載の方法を実行することを特徴とするコンピュータ読み取り可能な記憶媒体。
【請求項３２】
コンピュータプログラムを記憶する非瞬時的なコンピュータ読み取り可能な記憶媒体を備え、前記コンピュータプログラムの操作によりコンピュータは請求項1〜12のいずれか1項に記載の方法を実行することを特徴とするコンピュータプログラム製品。
【請求項３３】
コンピュータプログラムを記憶する非瞬時的なコンピュータ読み取り可能な記憶媒体を備え、前記コンピュータプログラムの操作によりコンピュータは請求項13〜19のいずれか1項に記載の方法を実行することを特徴とするコンピュータプログラム製品。
【請求項３４】
コンピュータプログラムを記憶する非瞬時的なコンピュータ読み取り可能な記憶媒体を備え、前記コンピュータプログラムの操作によりコンピュータは請求項20〜22のいずれか1項に記載の方法を実行することを特徴とするコンピュータプログラム製品。
【発明の詳細な説明】
【技術分野】
【０００１】
本願は通信技術の分野に関し、特にネットワーク接続設定方法及び関連製品に関する。
【背景技術】
【０００２】
デバイスツーデバイス（Device-to-Device、D2D）の通信方式とは、基地局又はセルラーネットワークを介して中継する必要がなく、送信側がデータを直接に受信側に送信する通信方式を指す。D2D通信方式のうち、一つの比較的特別な方式は、1つのユーザ装置（User Equipment、UE）が、中継機能を備えるもう1つのユーザ装置を介してネットワークに接続することである。一般的に、前者はリモートユーザ装置(即ちRemote UE）と呼ばれ、後者はリレーユーザ装置(即ちRelay UE)と呼ばれる。
【０００３】
第3世代パートナーシッププロジェクト（3rd Generation Partnership Project、3GPP）Rel-13では、IP層(又はLayer 3と呼ばれる)に基づくRelayメカニズムが定義されており、即ちRemote UEは1つのRelay UEを介してネットワークと接続して通信し、Relay UEはIP層を介してRemote UEとネットワークとの間の通信データを転送する。
【０００４】
D2D技術に基づいてFeD2Dは従来のRel-13UEからネットワークへのrelay能力を更に拡張し、例えば、Layer 3 RelayからLayer 2 Relayに変換する（このようなRelay UEの無線リンク層制御プロトコル（Radio Link Control、RLC）層以上、パケットデータコンバージェンスプロトコル（Packet Data Convergence Protocol、PDCP）層以下によりデータを転送する方式は、Layer 2 Relayと呼ばれる）。同時に、従来のUuリンクを介して直接に接続する無線リソース制御層（Radio Resource Control、RRC）接続は、更にPC5を介して中継するRRC接続をサポートするように拡張する。Layer 3 RelayからLayer 2 Relayへの変換を満たすために、従来のRRC接続は更に強化される必要がある。
【０００５】
Relay UEとRemote UEについて、必要なネットワーク接続の接続タイプはそれぞれ独立し、1)接続需要がない（即ちRRCアイドル状態）、2)SRBの接続需要のみがある、3)シグナリング無線ベアラ（signaling radio bearer、SRB）とデータ無線ベアラ（data radio bearer、DRB）の接続需要がある、という場合の接続タイプがあってもよい。Relay UEの現在のネットワーク状態がRemote UEを満足できない場合、Relay UEはRemote UEのためにネットワーク接続を確立する必要があり、又はRemote UEのためにネットワーク接続を修正する必要がある。従って、Relay UEがどのようにRemote UEのためにネットワーク接続を確立又は修正するかは解決すべき技術課題である。
【発明の概要】
【発明が解決しようとする課題】
【０００６】
本願の実施例は、Relay UEがRemote UEのためにネットワーク接続を確立又は修正することに用いられるネットワーク接続設定方法及び関連製品を提供する。
【課題を解決するための手段】
【０００７】
第1の態様において、本願の実施例はネットワーク接続設定方法を提供し、
第1のユーザ装置はネットワーク接続を確立又は修正する必要があることを確定した場合、前記第1のユーザ装置はネットワーク装置に第1のメッセージを送信することを含み、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられる。
【０００８】
第2の態様において、本願の実施例はネットワーク接続設定方法を提供し、
ネットワーク装置は第1のユーザ装置がネットワーク接続を確立又は修正する必要があることを確定した場合に送信した第1のメッセージを受信し、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることと、
前記ネットワーク装置は前記第1のメッセージに基づいて、前記第1のユーザ装置の要求するネットワーク接続を受け入れるかどうかを確定することと、を含む。
【０００９】
第3の態様において、本願の実施例はネットワーク接続設定方法を提供し、
第2のユーザ装置は第1のユーザ装置に第2のメッセージを送信することを含み、
前記第2のメッセージは前記第2のユーザ装置が確立する必要があるネットワーク接続の接続タイプを指示するためのものであり、前記第2のメッセージは更に、前記第1のユーザ装置がネットワーク接続を確立又は修正する必要があるかどうかを確定することに用いられる。
【００１０】
第4の態様において、本願の実施例はユーザ装置を提供し、通信システムに適用され、前記通信システムは第1のユーザ装置、第2のユーザ装置及びネットワーク装置を備え、前記ユーザ装置は第1のユーザ装置であり、処理ユニットと通信ユニットを備え、
前記処理ユニットは、前記第1のユーザ装置はネットワーク接続を確立又は修正する必要があることを確定した場合、前記通信ユニットにより前記ネットワーク装置に第1のメッセージを送信することに用いられ、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられる。
【００１１】
第5の態様において、本願の実施例はネットワーク装置を提供し、処理ユニットと通信ユニットを備え、
前記処理ユニットは、前記通信ユニットにより第1のユーザ装置がネットワーク接続を確立又は修正する必要があることを確定した場合に送信した第1のメッセージを受信することに用いられ、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられ、
前記処理ユニットは更に、前記第1のメッセージに基づいて、前記第1のユーザ装置の要求するネットワーク接続を受け入れるかどうかを確定することに用いられる。
【００１２】
第6の態様において、本発明の実施例はユーザ装置を提供し、通信システムに適用され、前記通信システムは第1のユーザ装置、第2のユーザ装置及びネットワーク装置を備え、前記ユーザ装置は第2のユーザ装置であり、処理ユニットと通信ユニットを備え、
前記処理ユニットは、前記通信ユニットにより前記第1のユーザ装置に第2のメッセージを送信することに用いられ、
前記第2のメッセージは前記第2のユーザ装置が確立する必要があるネットワーク接続の接続タイプを指示するためのものであり、前記第2のメッセージは更に、前記第1のユーザ装置がネットワーク接続を確立する必要があるかどうかを確定することに用いられる。
【００１３】
第7の態様において、本発明の実施例はユーザ装置を提供し、1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、第1の態様に記載の方法におけるステップを実行するための指令を含む。
【００１４】
第8の態様において、本発明の実施例はネットワーク装置を提供し、1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、第2の態様に記載の方法におけるステップを実行するための指令を含む。
【００１５】
第9の態様において、本発明の実施例はユーザ装置を提供し、1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、第3の態様に記載の方法におけるステップを実行するための指令を含む。
【００１６】
第10の態様において、本発明の実施例はコンピュータ読み取り可能な記憶媒体を提供し、電子データ交換のためのコンピュータプログラムが記憶され、前記コンピュータプログラムによりコンピュータは第1の態様に記載の方法を実行する。
【００１７】
第11の態様において、本発明の実施例はコンピュータ読み取り可能な記憶媒体を提供し、電子データ交換のためのコンピュータプログラムが記憶され、前記コンピュータプログラムによりコンピュータは第2の態様に記載の方法を実行する。
【００１８】
第12の態様において、本発明の実施例はコンピュータ読み取り可能な記憶媒体を提供し、電子データ交換のためのコンピュータプログラムが記憶され、前記コンピュータプログラムによりコンピュータは第3の態様に記載の方法を実行する。
【００１９】
第13の態様において、本発明の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは第1の態様に記載の方法を実行する。
【００２０】
第14の態様において、本発明の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは第2の態様に記載の方法を実行する。
【００２１】
第15の態様において、本発明の実施例はコンピュータプログラム製品を提供し、前記コンピュータプログラム製品はコンピュータプログラムを記憶する非瞬時的なコンピュータ読み取り可能な記憶媒体を備え、前記コンピュータプログラムの操作によりコンピュータは第3の態様に記載の方法を実行する。
【００２２】
本手段において、第1のユーザ装置はネットワーク接続を確立又は修正する必要があることを確定した場合、第1のユーザ装置は1つのメッセージによりネットワーク装置にネットワーク接続の確立又は修正を要求し、また、このメッセージは第1のユーザ装置の要求するネットワーク接続が他の装置にサービスを提供するためのものであることをネットワーク装置に知らせることに用いられる。これから分かるように、第1のユーザ装置は上記方式によりRemote UEのためにネットワーク接続を確立又は修正することができる。
【００２３】
本願のこれらの態様又は他の態様は、以下の実施例の説明でより簡単に理解できる。
【図面の簡単な説明】
【００２４】
本願の実施例又は従来技術における技術的手段をより明確に説明するために、以下では実施例又は従来技術の説明に必要な図面を簡単に説明するが、明らかに、以下の説明における図面は本願のいくつかの実施例に過ぎず、当業者にとって、創造性の労働をしない前提で、これらの図面に基づいて他の図面を得ることができる。
【００２５】
【図１】図1は本願の実施例によるネットワークアーキテクチャの模式図である。
【図２】図2は本発明の実施例によるネットワーク接続設定方法のフロー模式図である。
【図３】図3は本発明の実施例によるDiscovery messageのメッセージタイプのフォーマット模式図である。
【図４】図4は本発明の実施例によるユーザ装置の構造模式図である。
【図５】図5は本発明の実施例によるネットワーク装置の構造模式図である。
【図６】図6は本発明の実施例による他のユーザ装置の構造模式図である。
【図７】図7は本発明の実施例による他のユーザ装置の構造模式図である。
【図８】図8は本発明の実施例による他のネットワーク装置の構造模式図である。
【図９】図9は本発明の実施例による他のユーザ装置の構造模式図である。
【図１０】図10は本発明の実施例による他のユーザ装置の構造模式図である。
【発明を実施するための形態】
【００２６】
当業者が本願の手段をより良く理解するために、以下では本願の実施例における図面を参照しながら、本願の実施例における技術的解決手段を明確で完全に説明するが、明らかに、説明する実施例は本願の一部の実施例に過ぎず、全部の実施例ではない。本願における実施例に基づいて、当業者が創造性の労働をせずに取得した全部の他の実施例は、いずれも本願の保護範囲に属するべきである。
【００２７】
以下、それぞれ詳細に説明する。
【００２８】
本願の明細書と請求の範囲及び上記図面における用語の「第1」、「第2」、「第3」及び「第4」等は、異なる対象を区別するためのものであり、特定の順序を記述するためのものではない。また、「含む」と「有する」という用語及びそれらのいかなる変形は、排他的でない包含をカバーするためのものである。例えば、一連のステップ又はユニットを含む過程、方法、システム、製品又は装置は、列挙されたステップ又はユニットに限定されず、選択肢として列挙されていないステップ又はユニットも含み、或いは、選択肢としてこれらの過程、方法、製品又は装置が固有する他のステップ又はユニットも含む。
【００２９】
本文に言及された「実施例」とは、実施例を参照して説明した特定の特徴、構造又は特性が、本願の少なくとも1つの実施例に含まれ得ることを意味する。明細書の各箇所に現れる該フレーズは、必ずしも同一の実施例を指すとは限らず、他の実施例と排他的に独立する実施例又は候補の実施例でもない。当業者が明示的で暗黙的に理解できるように、本文に記載の実施例は他の実施例と組合わせてもよい。
【００３０】
以下、図面を参照しながら、本願の実施例を説明する。
【００３１】
図1を参照して、図1は本願の実施例に開示されたネットワークアーキテクチャの模式図である。図1に示すネットワークアーキテクチャは第1のユーザ装置110、第2のユーザ装置120及びネットワーク装置130を備え、第1のユーザ装置110はRelay UEであり、第2のユーザ装置120はRemote UEであり、第1のユーザ装置110と第2のユーザ装置120との間の通信は、3GPP Sidelink/PC5技術に基づくデバイスツーデバイスの間の通信メカニズムだけでなく、WLANやブルートゥース等の非3 GPP技術に基づく通信メカニズムを採用し通信してもよい。
【００３２】
ここで、ユーザ装置（User Equipment、UE）は、ユーザに音声及び/又はデータ接続性を提供する装置、例えば、無線接続機能を有するハンドヘルド装置、車載装置等である。普通のユーザ装置は、例えば、携帯電話、タブレット、ノートパソコン、パームトップコンピュータ、モバイルインターネットデバイス（mobile internet device、MID）、スマート腕時計、スマートハンドリング、歩数計等のウェアラブルデバイスを含む。
【００３３】
ここで、ネットワーク装置とはネットワーク側のノード装置を指し、例えば、ネットワーク装置は、セルラーネットワークにおけるアクセスネットワーク側の無線アクセスネットワーク（Radio Access Network、RAN）装置であってもよく、RAN装置とはユーザ装置を無線ネットワークにアクセスする装置であり、進化型ノードB （evolved Node B、eNB）、無線ネットワークコントローラ（radio network controller、RNC）、ノードB（Node B、NB）、基地局コントローラ（Base Station Controller、BSC）、基地局送受信局（Base Transceiver Station、BTS）、フェムトセル（例えば、Home evolved NodeB、又はHome Node B、HNB）、ベースバンドユニット（BaseBand Unit、BBU）、管理エンティティ（Mobility Management Entity、MME）を含むがそれらに限定されなく。更に、ネットワーク装置は無線ローカルエリアネットワーク（Wireless Local Area Network、WLAN）におけるノード装置であってもよく、例えば、アクセスコントローラ（access controller、AC）、ゲートウェイ、又はWIFIアクセスポイント（Access Point、AP）等である。
【００３４】
以下、図1に示すネットワークアーキテクチャを参照して、本願の実施例によるネットワーク接続確立方法を詳細に説明する。
【００３５】
図2を参照すると、図2は本願の実施例によるネットワーク接続設定方法のフロー模式図であり、第1のユーザ装置はRelay UEであり、第2のユーザ装置はRemote UEであり、以下のステップS201〜S204を含む。
【００３６】
S201、Remote UEはRelay UEに第2のメッセージを送信し、前記第2のメッセージは前記Remote UEが確立する必要があるネットワーク接続の接続タイプを指示するためのものであり、前記ネットワーク接続の接続タイプはSRB及び/又はDRBを含む。
【００３７】
一例において、前記第2のメッセージはSidelink技術に基づくもの、又はPC5インターフェイスにおけるデバイスツーデバイスの間の発見メッセージ（Discovery message）である。
【００３８】
一例において、前記発見メッセージはメッセージタイプを含み、前記メッセージタイプのコンテンツタイプは、前記Remote UEが確立する必要があるネットワーク接続の接続タイプを指示するためのものである。
【００３９】
更に、前記発見メッセージのコンテンツタイプが第1のプリセット値である場合、前記Remote UEが確立する必要があるネットワーク接続の接続タイプがSRBであることを指示し、  前記発見メッセージのコンテンツタイプが第2のプリセット値である場合、前記Remote UEが確立する必要があるネットワーク接続の接続タイプがSRB及びDRBであることを指示する。
【００４０】
具体的に、Discovery messageに含まれるメッセージタイプ（Message Type）のフォーマットを図3に示す。現在、Message Typeにおけるコンテンツタイプ（Content Type）の値及び対応する意味を表1に示す。
【００４１】
【表１】
2020518158.tif 000003
【００４２】
例を挙げると、Remote UEは現在のContent Typeにおける保留値(例えば表1における0011、1001〜1111)における値を利用して、前記Remote UEが確立する必要があるネットワーク接続の接続タイプを指示してもよい。例えば、Content Typeが1001である場合、前記Remote UEが確立する必要があるネットワーク接続の接続タイプがSRBであることを指示し、Content Typeが1010である場合、前記Remote UEが確立する必要があるネットワーク接続の接続タイプがSRB及びDRBであることを指示する。
【００４３】
一例において、前記発見メッセージは第1の指示情報を含み、前記第1の指示情報は、前記Remote UEが確立する必要があるネットワーク接続の接続タイプを指示するためのものである。
【００４４】
具体的に、Discovery messageにおいて1つの1 bitの情報(即ち第1の指示情報)を設定（又は追加）してもよく、該1 bitの情報は、前記Remote UEが確立する必要があるネットワーク接続の接続タイプを指示するためのものである。例えば、第1の指示情報の値が「1」である場合、前記Remote UEが確立する必要があるネットワーク接続の接続タイプがSRBであることを指示し、第1の指示情報の値が「0」である場合、前記Remote UEが確立する必要があるネットワーク接続の接続タイプがSRB及びDRBであることを指示する。
【００４５】
又は、Discovery messageにおけるSpareを利用して、前記Remote UEが確立する必要があるネットワーク接続の接続タイプを指示してもよい。Spareにおける1ビットを占有することによって、1つの新たな情報（即ち第1の指示情報）を定義し、新たに定義された情報は前記Remote UEが確立する必要があるネットワーク接続の接続タイプを指示するためのものである。例えば、Remote UEが確立する必要があるネットワーク接続の接続タイプはSRBである場合、Remote UEが送信したDiscovery messageにおける新たに定義された情報ビットの値は「1」であり、Remote UEが確立する必要があるネットワーク接続の接続タイプはSRBとDRBである場合、Remote UEが送信したDiscovery messageにおける新たに定義された情報ビットの値は「0」である。
【００４６】
一例において、前記第2のメッセージはPC5のシグナリングであり、前記PC5のシグナリングのメッセージタイプは、前記Remote UEが確立する必要があるネットワーク接続の接続タイプを指示するためのものである。
【００４７】
更に、前記PC5のシグナリングのメッセージタイプが第3のプリセット値である場合、前記Remote UEが確立する必要があるネットワーク接続の接続タイプがSRBであることを指示し、前記発見メッセージのコンテンツタイプが第4のプリセット値である場合、前記Remote UEが確立する必要があるネットワーク接続の接続タイプがSRB及びDRBであることを指示する。
【００４８】
具体的に、PC5のシグナリングは(直接通信要求)Direct_communication_requestであり、Direct_communication_requestにはPC5-SP Message Typeが含まれる。現在、PC5-SP Message Typeの値及び対応する意味を表2に示す。
【００４９】
【表２】
2020518158.tif 000004
【００５０】
例を挙げると、Remote UEは現在のPC5-SP Message Typeにおける保留値(例えば表2における00011111〜11111111)における値を利用して、前記Remote UEが確立する必要があるネットワーク接続の接続タイプを指示してもよい。例えば、PC5-SP Message Typeが00011111である場合、前記Remote UEが確立する必要があるネットワーク接続の接続タイプがSRBであることを指示し、PC5-SP Message Typeが00100000である場合、前記Remote UEが確立する必要があるネットワーク接続の接続タイプがSRB及びDRBであることを指示する。
【００５１】
一例において、前記PC5のシグナリングは第2の指示情報を含み、前記第2の指示情報は、前記Remote UEが確立する必要があるネットワーク接続の接続タイプを指示するためのものである。
【００５２】
具体的に、PC5のシグナリングにおいて1つの1 bitの情報(即ち第2の指示情報)を設定（又は追加）してもよく、該1 bitの情報は、前記Remote UEが確立する必要があるネットワーク接続の接続タイプを指示するためのものである。例えば、第2の指示情報の値が「1」である場合、前記Remote UEが確立する必要があるネットワーク接続の接続タイプがSRBであることを指示し、第2の指示情報の値が「0」である場合、前記Remote UEが確立する必要があるネットワーク接続の接続タイプがSRB及びDRBであることを指示する。
【００５３】
又は、PC5のシグナリングにおけるSpareを利用して、前記Remote UEが確立する必要があるネットワーク接続の接続タイプを指示してもよい。Spareにおける1ビットを占有することによって、1つの新たな情報（即ち第2の指示情報）を定義し、新たに定義された情報は前記Remote UEが確立する必要があるネットワーク接続の接続タイプを指示するためのものである。例えば、Remote UEが確立する必要があるネットワーク接続の接続タイプはSRBである場合、Remote UEが送信したPC5のシグナリングにおける新たに定義された情報ビットの値は「1」であり、Remote UEが確立する必要があるネットワーク接続の接続タイプはSRBとDRBである場合、Remote UEが送信したPC5のシグナリングにおける新たに定義された情報ビットの値は「0」である。
【００５４】
S202、前記Relay UEは前記第2のメッセージを受信し、前記Relay UEはネットワーク接続を確立又は修正する必要があるかどうかを確定する。
【００５５】
具体的に、前記Relay UEは前記第2のメッセージを受信した後、前記Relay UEは前記第2のメッセージに基づいて、ネットワーク接続を確立する必要があるかどうかを確定し、前記Remote UEが確立する必要があるネットワーク接続の接続タイプを前記Relay UEは確立していない場合、前記Relay UEはネットワーク接続を確立する必要があることを確定し、前記Remote UEが確立する必要があるネットワーク接続の接続タイプを前記Relay UEは確立した場合、前記Relay UEはネットワーク接続を確立する必要がないことを確定する。例えば、Relay UEは現在SRBだけがあり、Remote UEはSRBとDRBの接続需要があり、この場合、Relay UEは追加の接続を確立する必要がある。
【００５６】
また、Relay UEが最初に確立したネットワーク接続はRemote UEの存在を考慮していない場合、確立したネットワーク接続は中継転送の能力を有しなく、Relay UEが第2のメッセージを受信した後、Remote UEが確立する必要があるネットワーク接続の接続タイプをRelay UEは確立した場合、Relay UEは自体が以前に確立したネットワーク接続が中継転送の能力を有するかどうかを確定する必要があり、Relay UEは自体が以前に確立したネットワーク接続が中継転送の能力を有しないことを確定した場合、Relay UEはネットワーク接続を修正する必要があり、そうでなければ、Relay UEはネットワーク接続を修正する必要がない。
【００５７】
S203、Relay UEはネットワーク接続を確立又は修正する必要があることを確定した場合、前記Relay UEはネットワーク装置に第1のメッセージを送信し、前記第1のメッセージはネットワーク接続の確立又は修正を要求するためのものであり、前記第1メッセージは更に、前記Relay UEの要求するネットワーク接続のサービスする装置が、前記Relay UE以外の少なくとも1つのユーザ装置であることを指示することに用いられる。
【００５８】
一例において、前記第1のメッセージにより確立を要求するネットワーク接続の接続タイプは、前記第2のユーザ装置が確立する必要があるネットワーク接続の接続タイプを含む。
【００５９】
具体的に、Relay UEが現在アイドル状態にあり、Remote UEはSRBの接続需要しか有しない場合、Relay UEが第1のメッセージにより要求して確立したネットワーク接続の接続タイプはSRBのみであり、又は、Relay UEが第1のメッセージにより要求して確立したネットワーク接続の接続タイプはSRBとDRBである。
【００６０】
一例において、前記第1のメッセージにより確立又は修正を要求するネットワーク接続の接続タイプがSRBである場合、前記第1のメッセージはRRCメッセージであり、前記RRCメッセージは表記を含み、前記表記は前記Relay UEの要求するネットワーク接続のサービスする装置が、前記Relay UE以外の少なくとも1つのユーザ装置であることを指示することに用いられる。
【００６１】
具体的に、ネットワーク装置は現在のRelay UEが確立又は修正を要求するSRBがどの目的で確立されるかを区別するために、Relay UEはRRCメッセージにおいて表記を設定して、前記Relay UEの現在要求するSRBのサービスする装置がRemote UEのためのものであることを指示してもよい。ネットワーク装置がRRCメッセージを受信した後、RRCメッセージが表記を含む場合、ネットワーク装置は、Relay UEの現在要求するSRBがRemote UEのためのものであることを知ることができ、RRCメッセージが表記を含まない場合、ネットワーク装置は、Relay UEの現在要求するSRBがそれ自体のためのものであることを知ることができる。
【００６２】
更に、前記RRCメッセージがRRC接続要求メッセージである場合、前記表記は前記RRC接続要求メッセージにおける新たに追加された確立原因（establishment Cause）のドメイン値であり、又は、前記表記は前記RRC接続要求メッセージにおける一定のestablishment Causeのドメイン値である。
【００６３】
具体的に、RRC接続要求（RRC Connection Request）メッセージにおいて表記し、例えば、1つのestablishmentCauseのドメイン値を追加して、現在のRelay UEの要求して確立するSRBがRemote UEのためのものであることを示し、或いは、1つの一定のestablishmentCauseのドメイン値を使用して、現在のRelay UEの要求して確立するSRBがRemote UEのためのものであることを示す。
【００６４】
更に、前記RRCメッセージがRRC接続確立完了メッセージである場合、前記表記は前記RRC接続確立完了メッセージに含まれる指示情報である。
【００６５】
具体的に、RRC接続確立完了（RRC Connection Setup Complete）メッセージにおいて表記し、例えば、RRC Connection Setup Completeメッセージに含まれる指示情報は、現在Relay UEの要求して確立するSRBがRemote UEのためのものであることを示す。
【００６６】
一例において、前記RRCメッセージがリンクUE情報（sidelink UE Information）メッセージである場合、前記表記は前記リンクUE情報メッセージに含まれる第2の指示情報である。
【００６７】
具体的に、接続確立が完了した後、Relay UEはネットワーク接続を修正する場合、sidelink UE Informationメッセージにおいて表記し、例えば、sidelink UE Informationメッセージに含まれる指示情報は、現在Relay UEの要求して修正するSRBがRemote UEのためのものであることを示す。
【００６８】
一例において、前記第1のメッセージにより確立を要求するネットワーク接続の接続タイプがSRBとDRBである場合、前記第1のメッセージは改善されたNASメッセージである。
【００６９】
具体的に、Relay UEは、1つの改善されたNASメッセージをネットワーク装置に送信し、例えばRelay UEはネットワーク装置に1つの改善されたサービス要求（service request）メッセージを送信するが、該改善されたサービス要求メッセージは従来のサービス要求（service request）メッセージから区別され、ネットワーク装置は該改善されたservice requestメッセージを受信した後、ネットワーク装置はRelay UEの現在要求するネットワーク接続(即ちSRB及びDRB)が他の装置のためのものであることを知ることができる。
【００７０】
更に、改善されたservice requestメッセージは従来のservice requestメッセージに比べて、従来のservice requestメッセージに1つの1ビットの情報を追加したものであってもよく、追加した1ビットの情報は、前記Relay UEの現在要求するネットワーク接続がRemote UEのためのものであることを指示するためのものであり、或いは、更に、改善されたservice requestメッセージは従来のservice requestメッセージに比べて、従来のservice requestメッセージにおける空きビットをプリセット値に設定して、前記Relay UEの現在要求するネットワーク接続がRemote UEのためのものであることを指示してもよく、等々、改善されたservice requestメッセージについて、本発明では限定しない。
【００７１】
一例において、前記第1のメッセージにより確立を要求するネットワーク接続の接続タイプがSRBとDRBである場合、前記第1のメッセージは改善されたRRCメッセージである。
【００７２】
具体的に、Relay UEは、1つの改善されたRRCメッセージをネットワーク装置に送信し、例えばRelay UEはネットワーク装置に1つの改善されたRRC Connection Requestを送信し、又は１つの改善されたRRCメッセージ（例えば、改善されたRRC Connection Setup Completeメッセージ、又は改善されたRRC Connection Requestメッセージ）を送信し、該改善されたRRCメッセージは従来のRRCメッセージから区別され、ネットワーク装置は該改善されたRRCメッセージを受信した後、ネットワーク装置はRelay UEの現在要求するネットワーク接続(即ちSRB及びDRB)が他の装置のためのものであることを知ることができる。
【００７３】
更に、前記改善されたRRCメッセージは第3の表記を含み、前記第3の表記は前記第1のユーザ装置の要求するネットワーク接続のサービスする装置が、前記第1のユーザ装置以外の少なくとも1つのユーザ装置であることを指示することに用いられる。
【００７４】
具体的に、ネットワーク装置は現在のRelay UEが確立を要求するSRB及びDRBがどの目的で確立されるかを区別するために、改善されたRRCメッセージは第3の表記を含み、それにより前記Relay UEの現在要求するSRB及びDRBのサービスする装置がRemote UEのためのものであることを指示する。ネットワーク装置が改善されたRRCメッセージを受信した後、RRCメッセージが第3の表記を含む場合、ネットワーク装置は、Relay UEの現在要求するSRB及びDRBがRemote UEのためのものであることを知ることができ、RRCメッセージが第3の表記を含まない場合、ネットワーク装置は、Relay UEの現在要求するSRB及びDRBがそれ自体のためのものであることを知ることができる。
【００７５】
更に、前記改善されたRRCメッセージがRRC接続要求メッセージである場合、前記第3の表記は前記RRC接続要求メッセージにおける新たに追加された確立原因（establishment Cause）のドメイン値であり、又は、前記第3の表記は前記RRC接続要求メッセージにおける一定のestablishment Causeのドメイン値である。
【００７６】
具体的に、RRC接続要求（RRC Connection Request）メッセージにおいて表記し、例えば、1つのestablishmentCauseのドメイン値を追加して、現在のRelay UEの要求して確立するSRB及びDRBがRemote UEのためのものであることを示し、或いは、1つの一定のestablishmentCauseのドメイン値を使用して、現在のRelay UEの要求して確立するSRB及びDRBがRemote UEのためのものであることを示す。
【００７７】
更に、前記改善されたRRCメッセージがRRC接続確立完了メッセージである場合、前記第3の表記は前記RRC接続確立完了メッセージに含まれる指示情報である。
【００７８】
具体的に、RRC接続確立完了（RRC Connection Setup Complete）メッセージにおいて表記し、例えば、RRC Connection Setup Completeメッセージに含まれる指示情報は、現在Relay UEの要求して確立するSRB及びDRBがRemote UEのためのものであることを示す。
【００７９】
S204、前記ネットワーク装置は前記第1のメッセージを受信し、前記ネットワーク装置は前記第1のメッセージに基づいて、前記第1のユーザ装置のネットワーク接続要求を受け入れるかどうかを確定する。
【００８０】
具体的に、SRBの確立要求について、基地局はRRCメッセージに基づいて、SRBの確立要求を受け入れるか拒否するかを確定する。DRBの確立要求について、MMEはNASメッセージに基づいて、DRBの確立要求を受け入れるか拒否するかを確定する。ネットワーク装置がベアリングする装置が多く、そしてRelay UEが要求するネットワーク接続はRemote UEのためのものである場合、ネットワーク装置はRelay UEの要求を拒否することができる。また、ネットワーク装置は十分なベアラ空間を有し、そしてRelay UEが要求するネットワーク接続はRemote UEのためのものである場合、ネットワーク装置はRelay UEの要求を受け入れることができる。
【００８１】
本手段において、第1のユーザ装置はネットワーク接続を確立又は修正する必要があることを確定した場合、第1のユーザ装置は1つのメッセージによりネットワーク装置にネットワーク接続の確立又は修正を要求し、また、このメッセージは第1のユーザ装置の要求するネットワーク接続が他の装置にサービスを提供するためのものであることをネットワーク装置に知らせることに用いられる。これから分かるように、第1のユーザ装置は上記方式によりRemote UEのためにネットワーク接続を確立又は修正することができる。
【００８２】
上記図2に示す実施例と同様に、図4を参照して、図4は本発明の実施例によるユーザ装置の構造模式図であり、通信システムに適用され、前記通信システムは第1のユーザ装置、ネットワーク装置及び第2のユーザ装置を備え、図4に示すユーザ装置は第1のユーザ装置であり、図面に示すように、該ユーザ装置は1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、
第1のユーザ装置がネットワーク接続を確立又は修正する必要があることを確定した場合、ネットワーク装置に第1のメッセージを送信するステップを実行するための指令を含み、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられる。
【００８３】
一例において、前記第1のメッセージは更に、前記ネットワーク装置が前記第1のユーザ装置の要求するネットワーク接続を受け入れるかどうかを確定することに用いられる。
【００８４】
一例において、前記第1のユーザ装置がネットワーク接続を確立又は修正する必要があることを確定する前に、前記プログラムは更に、
前記第2のユーザ装置が送信した第2のメッセージを受信し、前記第2のメッセージは前記第2のユーザ装置が確立する必要があるネットワーク接続の接続タイプを指示するためのものであるステップを実行するための指令を含む。
【００８５】
一例において、前記第2のユーザ装置が確立する必要があるネットワーク接続の接続タイプを前記第1のユーザ装置は確立していない場合、前記第1のユーザ装置は確立する必要があるネットワーク接続を確定し、前記第1のメッセージにより確立を要求するネットワーク接続の接続タイプは、前記第2のユーザ装置が確立する必要があるネットワーク接続の接続タイプを含む。
【００８６】
一例において、前記第2のメッセージはPC5のシグナリングであり、前記PC5のシグナリングのメッセージタイプは、前記Remote UEが確立する必要があるネットワーク接続の接続タイプを指示するためのものである。
【００８７】
一例において、前記第2のメッセージはデバイスツーデバイスの間の発見メッセージであり、前記発見メッセージはメッセージタイプを含み、前記メッセージタイプのコンテンツタイプは、Remote UEが確立する必要があるネットワーク接続の接続タイプを指示するためのものである。
【００８８】
一例において、前記第1のメッセージにより確立又は修正を要求するネットワーク接続の接続タイプがSRBである場合、前記第1のメッセージはRRCメッセージであり、前記RRCメッセージは表記を含み、前記表記は前記第1のユーザ装置の要求するネットワーク接続のサービスする装置が、前記第1のユーザ装置以外の少なくとも1つのユーザ装置であることを指示することに用いられる。
【００８９】
一例において、前記RRCメッセージがRRC接続要求メッセージである場合、前記表記は前記RRC接続要求メッセージにおける新たに追加された確立原因（establishment Cause）のドメイン値であり、又は、前記表記は前記RRC接続要求メッセージにおける一定のestablishment Causeのドメイン値である。
【００９０】
一例において、前記RRCメッセージがRRC接続確立完了メッセージである場合、前記表記は前記RRC接続確立完了メッセージに含まれる第1の指示情報である。
【００９１】
一例において、前記RRCメッセージがリンクUE情報（sidelink UE Information）メッセージである場合、前記表記は前記リンクUE情報メッセージに含まれる第2の指示情報である。
【００９２】
一例において、前記第1のメッセージにより確立を要求するネットワーク接続の接続タイプがSRBとDRBである場合、前記第1のメッセージは改善されたNASメッセージである。
【００９３】
一例において、前記第1のメッセージにより確立を要求するネットワーク接続の接続タイプがSRBとDRBである場合、前記第1のメッセージは改善されたRRCメッセージである。
【００９４】
本手段において、第1のユーザ装置はネットワーク接続を確立又は修正する必要があることを確定する場合、第1のユーザ装置は1つのメッセージによりネットワーク装置にネットワーク接続の確立又は修正を要求し、また、このメッセージは第1のユーザ装置の要求するネットワーク接続が他の装置にサービスを提供するためのものであることをネットワーク装置に知らせることに用いられる。これから分かるように、第1のユーザ装置は上記方式によりRemote UEのためにネットワーク接続を確立又は修正することができる。
【００９５】
上記図2に示す実施例と同様に、図5を参照して、図5は本発明の実施例によるユーザ装置の構造模式図であり、図面に示すように、該ユーザ装置は1つ又は複数のプロセッサ、1つ又は複数のメモリ、1つ又は複数の送受信機、1つ又は複数のプログラムを備え、前記1つ又は複数のプログラムは前記メモリに記憶されて、前記1つ又は複数のプロセッサにより実行されるように設定され、前記プログラムは、
第1のユーザ装置がネットワーク接続を確立又は修正する必要があることを確定する場合に送信した第1のメッセージを受信し、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられるステップと、
前記第1のメッセージに基づいて、前記第1のユーザ装置の要求するネットワーク接続を受け入れるかどうかを確定するステップと、を実行するための指令を含む。
【００９６】
一例において、前記第1のメッセージにより確立を要求するネットワーク接続の接続タイプがSRBである場合、前記第1のメッセージはRRCメッセージであり、前記RRCメッセージは表記を含み、前記表記は前記第1のユーザ装置の要求するネットワーク接続のサービスする装置が、前記第1のユーザ装置以外の少なくとも1つのユーザ装置であることを指示することに用いられる。
【００９７】
一例において、前記RRCメッセージがRRC接続要求メッセージである場合、前記表記は前記RRC接続要求メッセージにおける新たに追加された確立原因（establishment Cause）のドメイン値であり、又は、前記表記は前記RRC接続要求メッセージにおける一定のestablishment Causeのドメイン値である。
【００９８】
一例において、前記RRCメッセージがRRC接続確立完了メッセージである場合、前記表記は前記RRC接続確立完了メッセージに含まれる指示情報である。
【００９９】
一例において、前記RRCメッセージがリンクUE情報（sidelink UE Information）メッセージである場合、前記表記は前記リンクUE情報メッセージに含まれる第2の指示情報である。
【０１００】
一例において、前記第1のメッセージにより確立を要求するネットワーク接続の接続タイプがSRBとDRBである場合、前記第1のメッセージは改善されたNASメッセージである。
【０１０１】
一例において、前記第1のメッセージにより確立を要求するネットワーク接続の接続タイプがSRBとDRBである場合、前記第1のメッセージは改善されたRRCメッセージである。
【０１０２】
本手段において、第1のユーザ装置はネットワーク接続を確立又は修正する必要があることを確定した場合、第1のユーザ装置は1つのメッセージによりネットワーク装置にネットワーク接続の確立又は修正を要求し、また、このメッセージは第1のユーザ装置の要求するネットワーク接続が他の装置にサービスを提供するためのものであることをネットワーク装置に知らせることに用いられる。これから分かるように、第1のユーザ装置は上記方式によりRemote UEのためにネットワーク接続を確立又は修正することができる。
【０１０３】
上記図2に示す実施例と同様に、図6を参照して、図6は本発明の実施例によるユーザ装置の構造模式図であり、通信システムに適用され、前記通信システムは第1のユーザ装置、ネットワーク装置及び第2のユーザ装置を備え、図6に示すユーザ装置は第2のユーザ装置であり、図面に示すように、該ユーザ装置は1つ又は複数のプロセッサ、1つ又は複数のメモリ、1つ又は複数の送受信機、1つ又は複数のプログラムを備え、前記1つ又は複数のプログラムは前記メモリに記憶されて、前記1つ又は複数のプロセッサにより実行されるように設定され、前記プログラムは、
第1のユーザ装置に第2のメッセージを送信するステップを実行するための指令を含み、
前記第2のメッセージは前記第2のユーザ装置が確立する必要があるネットワーク接続の接続タイプを指示するためのものであり、前記第2のメッセージは更に、前記第1のユーザ装置がネットワーク接続を確立又は修正する必要があるかどうかを確定することに用いられる。
【０１０４】
一例において、前記第2のメッセージはPC5のシグナリングであり、前記PC5のシグナリングのメッセージタイプは、前記Remote UEが確立する必要があるネットワーク接続の接続タイプを指示するためのものである。
【０１０５】
一例において、前記第2のメッセージはデバイスツーデバイスの間の発見メッセージであり、前記発見メッセージはメッセージタイプを含み、前記メッセージタイプのコンテンツタイプは、前記Remote UEが確立する必要があるネットワーク接続の接続タイプを指示するためのものである。
【０１０６】
本手段において、第1のユーザ装置は第2のユーザ装置が送信した第2のメッセージを受信した後、第1のユーザ装置は第2のメッセージに基づいてネットワーク接続を確立又は修正する必要があるかどうかを確定することができる。それにより、第1のユーザ装置は第2のユーザ装置のためにネットワーク接続を確立又は修正する。
【０１０７】
以上では主に各ネットワークエレメントの間のインタラクションの角度から本発明の実施例の手段を説明した。理解できるように、第1のユーザ装置、第2のユーザ装置及びネットワーク装置は上記機能を実現するために、それぞれの機能を実行する相応的なハードウェア構造及び/又はソフトウェアモジュールを備える。当業者が容易に認識できるように、本明細書で開示する実施例に説明した様々な例示のユニット及びアルゴリズムステップについて、本発明はハードウェア、又はハードウェアとコンピュータソフトウェアとの組合せの形式で実現できる。ある機能がハードウェアで実行されるかそれともコンピュータソフトウェアのハードウェアへの駆動で実行されるかは、技術的手段の特定の適用と設計制約条件によって決められる。専門技術者は、各特定の適用に対して異なる方法を使用して、記述された機能を実現することができるが、そのような実現は本発明の範囲を超えるとは考えられない。
【０１０８】
本発明の実施例は上記方法例に基づいて、第1ユーザ装置、第2ユーザ装置及びネットワーク側装置に対して機能ユニットの区分を行うことができ、例えば、各機能に対応して各機能ユニットを区分してもよく、2つ又は2つ以上の機能を1つの処理ユニットに集積してもよい。上記の集積されたユニットはハードウェアの形式で達成してよく、ソフトウェアプログラムモジュールの形式で達成してもよい。なお、本発明の実施例おけるユニットの区分は模式的であり、論理的な機能区分の一つに過ぎず、実際に実現する際に別の区分方式は存在してもよい。
【０１０９】
集積されたユニット又はモジュールを採用する場合、図7は上記実施例に係る第1のユーザ装置のある可能な機能ユニット構成ブロック図を示す。第1のユーザ装置700は、処理ユニット701と通信ユニット702を備える。処理ユニット701は第1のユーザ装置の動作を制御して管理することに用いられ、例えば、処理ユニット701は第1のユーザ装置が図2におけるステップ202、203及び/又は本明細書に記載の技術のための他のプロセスを実行することをサポートするためのものである。通信ユニット702は第1のユーザ装置と他の装置との通信、例えば図5に示すネットワーク装置との間の通信、及び/又は図6に示す第2のユーザ装置との間の通信をサポートするためのものである。第1のユーザ装置は、第1のユーザ装置のプログラムコード及びデータを記憶するための記憶ユニット703を更に備えてもよい。
【０１１０】
ここで、処理ユニット701はプロセッサ又はコントローラであってもよく、例えば、中央処理装置（Central Processing Unit，CPU）、汎用プロセッサ、デジタルシグナルプロセッサ（Digital Signal Processor、DSP）、専用集積回路（Application-Specific Integrated Circuit、ASIC）、フィールドプログラマブルゲートアレイ（Field Programmable Gate Array、FPGA）又は他のプログラマブル論理デバイス、トランジスタ論理デバイス、ハードウェア部品又は任意の組合せであってもよい。本開示の開示に関連して説明された様々な例示的な論理ブロック、モジュール及び回路を実現又は実行することができる。前記プロセッサは計算機能を実現する組合せであってもよく、例えば、1つ又は複数のマイクロプロセッサの組合せ、DSPとマイクロプロセッサの組合せ等を含む。通信ユニット702は送受信機、送受信回路、無線周波数チップ等であってもよく、記憶ユニット703はメモリであってもよい。
【０１１１】
処理ユニット701がプロセッサであり、通信ユニット702が通信インタフェースであり、記憶ユニット703がメモリである場合、本発明の実施例に係る第1のユーザ装置は図4に示す第1のユーザ装置であってもよい。
【０１１２】
集積されたユニットを採用する場合、図8は上記実施例に係るネットワーク装置のある可能な機能ユニット構成ブロック図を示す。ネットワーク装置800は、処理ユニット801と通信ユニット802を備える。処理ユニット801はネットワーク装置の動作を制御して管理することに用いられ、例えば、処理ユニット801はネットワーク装置が図2におけるステップ204及び/又は本明細書に記載の技術のための他のプロセスを実行することをサポートするためのものである。通信ユニット802はネットワーク装置と他の装置との通信、例えば図4に示す第1のユーザ装置との間の通信をサポートするためのものである。ネットワーク装置は、ネットワーク装置のプログラムコード及びデータを記憶するための記憶ユニット703を更に備えてもよい。
【０１１３】
ここで、処理ユニット801はプロセッサ又はコントローラであってもよく、例えば、CPU、DSP、ASIC、FPGA又は他のプログラマブル論理デバイス、トランジスタ論理デバイス、ハードウェア部品又はそれらの任意の組合せであってもよい。本発明の開示に関連して説明された様々な例示的な論理ブロック、モジュール及び回路を実現又は実行することができる。前記プロセッサは計算機能を実現する組合せであってもよく、例えば、1つ又は複数のマイクロプロセッサの組合せ、DSPとマイクロプロセッサの組合せ等を含む。通信ユニット802は送受信機、送受信回路等であってもよく、記憶ユニット803はメモリであってもよい。
【０１１４】
処理ユニット801がプロセッサであり、通信ユニット802が通信インタフェースであり、記憶ユニット803がメモリである場合、本発明の実施例に係るネットワーク装置は図5に示すネットワーク装置であってもよい。
【０１１５】
集積されたユニットを採用する場合、図9は上記実施例に係る第2のユーザ装置のある可能な機能ユニット構成ブロック図を示す。第2のユーザ装置900は、処理ユニット901と通信ユニット902を備える。処理ユニット901は第2のユーザ装置の動作を制御して管理することに用いられ、例えば、処理ユニット901は第2のユーザ装置が図2におけるステップ201及び/又は本明細書に記載の技術のための他のプロセスを実行することをサポートするためのものである。通信ユニット902は第2のユーザ装置と他の装置との通信、例えば図4に示す第1のユーザ装置との間の通信をサポートするためのものである。ネットワーク装置は、第2のユーザ装置のプログラムコード及びデータを記憶するための記憶ユニット903を更に備えてもよい。
【０１１６】
ここで、処理ユニット901はプロセッサ又はコントローラであってもよく、例えば、CPU、DSP、ASIC、FPGA又は他のプログラマブル論理デバイス、トランジスタ論理デバイス、ハードウェア部品又はそれらの任意の組合せであってもよい。本発明の開示に関連して説明された様々な例示的な論理ブロック、モジュール及び回路を実現又は実行することができる。前記プロセッサは計算機能を実現する組合せであってもよく、例えば、1つ又は複数のマイクロプロセッサの組合せ、DSPとマイクロプロセッサの組合せ等を含む。通信ユニット902は送受信機、送受信回路等であってもよく、記憶ユニット903はメモリであってもよい。
【０１１７】
処理ユニット901がプロセッサであり、通信ユニット902が通信インタフェースであり、記憶ユニット903がメモリである場合、本発明の実施例に係る第2のユーザ装置は図6に示す第2のユーザ装置であってもよい。
【０１１８】
本発明の実施例は更に他のユーザ装置を提供し、図10に示すように、説明を簡単化するために、本発明の実施例に関連する部分のみを示し、具体的な技術詳細が開示されていないものについては、本発明の実施例の方法の部分を参照される。該ユーザ装置は携帯電話、タブレット、PDA （Personal Digital Assistant、パーソナルデジタルアシスタント）、POS（Point of Sales、販売端末）、車載コンピュータ等の任意のユーザ装置であってもよく、ユーザ装置が携帯電話であることを例とする。
【０１１９】
図10は本発明の実施例によるユーザ装置に関連する携帯電話の一部の構造のブロック図を示す。図10を参照して、携帯電話は、無線周波数（Radio Frequency、RF）回路910、メモリ920、入力ユニット930、表示ユニット940、センサ950、オーディオ回路960、ワイヤレスフィデリティ（Wireless Fidelity、WiFi）モジュール970、プロセッサ980、及び電源990等の部品を備える。当業者が理解できるように、図10に示す携帯電話の構造は携帯電話を限定するものではなく、図示よりも多い又は少ない部品、又はいくつかの部品を組合わせたもの、又は異なる部品配置を含んでもよい。
【０１２０】
以下、図10を参照して、携帯電話の各構成部品について具体的に説明する。
【０１２１】
RF回路910は、情報の受信と送信に用いられてもよい。一般的に、RF回路910はアンテナ、少なくとも1つの増幅器、送受信機、カプラ、低雑音増幅器（Low Noise Amplifier、LNA）、デュプレクサ等を含むが、これらに限定されない。更に、RF回路910は無線通信によって、ネットワーク及び他の装置と通信してもよい。上記無線通信は、いずれかの通信規格又はプロトコルを使用してもよく、グローバル移動体通信システム（Global System of Mobile communication、GSM）、汎用パケット無線サービス（General Packet Radio Service、GPRS）、符号分割多元接続（Code Division Multiple Access、CDMA）、広帯域符号分割多元接続（Wideband Code Division Multiple Access、WCDMA）、ロングタームエボリューション（Long Term Evolution、LTE）、電子メール、ショートメッセージサービス（Short Messaging Service、SMS）等を含むが、これらに限定されない。
【０１２２】
メモリ920はソフトウェアプログラム及びモジュールを記憶することに用いられてもよく、プロセッサ980はメモリ920に記憶されるソフトウェアプログラム及びモジュールを実行することにより、携帯電話の各種機能アプリケーション及びデータ処理を実行する。メモリ920はプログラム記憶エリア及びデータ記憶エリアを含んでもよく、プログラム記憶エリアはオペレーティングシステム、少なくとも1つの機能に必要なアプリケーションプログラム等を記憶することができ、データ記憶エリアは携帯電話の使用に基づいて作成したデータ等を記憶することができる。また、メモリ920は高速ランダムアクセスメモリを含んでもよく、不揮発性メモリ、例えば少なくとも1つのディスク記憶装置、フラッシュメモリ又は他の揮発性ソリッドステートメモリを更に含んでもよい。
【０１２３】
入力ユニット930は入力した数字又は文字情報の受信、及び携帯電話のユーザ設定と機能制御に関連するキー信号入力の生成に用いられることができる。具体的に、入力ユニット930は、指紋認証モジュール931と他の入力装置932を含んでもよい。指紋認証モジュール931は、ユーザの指紋データを収集することができる。指紋認証モジュール931に加えて、入力ユニット930は他の入力装置932を更に含んでもよい。具体的に、他の入力装置932は、タッチスクリーン、物理キーボード、機能キー(例えば音量制御キー、スイッチキー等)、トラックボール、マウス、操作レバー等のうちの1つ又は複数を含んでもよいが、これらに限定されない。
【０１２４】
表示ユニット940は、ユーザが入力した情報又はユーザに提供した情報、及び携帯電話の様々なメニューを表示することに用いられてもよい。表示ユニット940はディスプレイ941を含んでもよく、選択肢として、ディスプレイ941は液晶ディスプレイ（Liquid Crystal Display、LCD）、有機発光ダイオード（Organic Light-Emitting Diode、OLED）等の形態で構成されてもよい。図10において、指紋認証モジュール931とディスプレイ941は2つの独立した部品として、携帯電話の入力と入力機能を達成するが、いくつかの実施例において、指紋認証モジュール931とディスプレイ941を一体化して、携帯電話の入力と再生機能を達成してもよい。
【０１２５】
携帯電話は少なくとも一種のセンサ950、例えば光センサ、モーションセンサ及び他のセンサを更に含んでもよい。具体的に、光センサは環境光センサ及び近接センサを含んでもよく、環境光センサは環境光の明るさに応じてディスプレイ941の輝度を調整することができ、近接センサは携帯電話が耳元に移動した時にディスプレイ941及び/又はバックライトをオフにすることができる。モーションセンサの一種として、加速度計センサはあらゆる方向(一般的には三軸)での加速度の大きさを検出し、静止時に重力の大きさと方向を検出し、携帯電話の姿勢を認識するアプリケーション(例えば、縦横スクリーンの切り替え、関連ゲーム、磁力計の姿勢校正)、振動認識関連機能(例えば歩数計、叩く)等に利用でき、携帯電話に搭載できるジャイロスコープ、気圧計、湿度計、温度計、赤外線センサ等の他のセンサについては、ここで繰り返して説明しない。
【０１２６】
オーディオ回路960、スピーカー961、マイク962は、ユーザと携帯電話との間のオーディオインタフェースを提供できる。オーディオ回路960は、受信したオーディオデータより変換した電気信号を、スピーカー961に伝送し、スピーカー961で音信号に変換して再生することができる。一方、マイク962は収集した音信号を電気信号に変換し、オーディオ回路960で受信してオーディオデータに変換し、オーディオデータを再生プロセッサ980で処理した後、RF回路910を介して例えば別の携帯電話に送信し、又はオーディオデータをメモリ920に再生して、更なる処理に供する。
【０１２７】
WiFiは近距離無線伝送技術に属し、携帯電話はWiFiモジュール970によりユーザのために電子メールを送受信したり、ウェブページを閲覧したり、ストリーミングメディアにアクセスしたりすることができ、ユーザに無線のブロードバンドインターネットアクセスを提供する。図10はWiFiモジュール970を示しているが、理解できるように、それは携帯電話の必須構成ではなく、必要に応じて発明の本質を変えない範囲で省略してもよい。
【０１２８】
プロセッサ980は携帯電話のコントロールセンターであり、様々なインターフェースと回線を利用して携帯電話全体の各部を接続し、メモリ920に記憶されるソフトウェアプログラム及び/又はモジュールを動作させ又は実行し、メモリ920に記憶されるデータを呼び出し、携帯電話の様々な機能を実行してデータを処理することにより、携帯電話全体を監視する。選択肢として、プロセッサ980は1つ又は複数の処理ユニットを含んでもよく、好ましくは、プロセッサ980はアプリケーションプロセッサとモデムプロセッサを集積してもよく、アプリケーションプロセッサは主にオペレーティングシステム、ユーザインターフェース及びアプリケーション等を処理し、モデムプロセッサは主に無線通信を処理する。理解できるように、上記モデムプロセッサはプロセッサ980に集積されなくてもよい。
【０１２９】
携帯電話は各部品に電力を供給する電源990 (例えばバッテリ)を更に含み、好ましくは、電源は電源管理システムを介してプロセッサ980と論理的に接続してもよく、それにより電源管理システムを介して充電、放電及び消費電力管理等の機能を実現する。
【０１３０】
図示しないが、携帯電話はカメラ、ブルートゥースモジュール等を更に含んでもよく、ここで繰り返して説明しない。
【０１３１】
前記図2に示す実施例において、各ステップの方法におけるユーザ装置側のフローは、該携帯電話の構造に基づいて実現できる。
【０１３２】
前記図7、図9に示す実施例において、各ユニットの機能は該携帯電話の構成に基づいて実現できる。
【０１３３】
本発明の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例における第1のユーザ装置に記載の一部又は全部のステップを実行する。
【０１３４】
本発明の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例におけるネットワーク装置に記載の一部又は全部のステップを実行する。
【０１３５】
本発明の実施例はコンピュータ読み取り可能な記憶媒体を更に提供し、前記コンピュータ読み取り可能な記憶媒体は電子データ交換のためのコンピュータプログラムを記憶し、前記コンピュータプログラムによりコンピュータは上記方法の実施例における第2のユーザ装置に記載の一部又は全部のステップを実行する。
【０１３６】
本発明の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法における第1のユーザ装置に記載の一部又は全部のステップを実行する。該コンピュータプログラム製品は、1つのソフトウェアインストールパッケージであってもよい。
【０１３７】
本発明の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法の実施例におけるネットワーク装置に記載の一部又は全部のステップを実行する。該コンピュータプログラム製品は、1つのソフトウェアインストールパッケージであってもよい。
【０１３８】
本発明の実施例はコンピュータプログラム製品を更に提供し、前記コンピュータプログラム製品はコンピュータプログラムを記憶する非瞬時的なコンピュータ読み取り可能な記憶媒体を備え、前記コンピュータプログラムの操作によりコンピュータは上記方法における第2のユーザ装置に記載の一部又は全部のステップを実行する。該コンピュータプログラム製品は、1つのソフトウェアインストールパッケージであってもよい。
【０１３９】
本発明の実施例に記載の方法又はアルゴリズムのステップは、ハードウェアの形態で実現されてもよく、プロセッサによるソフトウェア指令の実行の形態で実現されてもよい。ソフトウェア指令は対応するソフトウェアモジュールで構成してもよく、ソフトウェアモジュールはランダムアクセスメモリ（Random Access Memory、RAM）、フラッシュメモリ、読み出し専用メモリ（Read Only Memory、ROM）、消去可能プログラマブル読み出し専用メモリ（Erasable Programmable ROM、EPROM）、電気的消去可能プログラマブル読み出し専用メモリ（Electrically EPROM、EEPROM）、レジスタ、ハードディスク、リムーバブルディスク、読み取り専用ディスク（CD-ROM）、又は本技術分野で知られている任意の他の形態の記憶媒体に記憶されてもよい。例示的な記憶媒体はプロセッサに結合され、それによりプロセッサは該記憶媒体から情報を読み取り、且つ該記憶媒体に情報を書き込むことができる。もちろん、記憶媒体はプロセッサの構成部分であってもよい。プロセッサ及び記憶媒体はASICに位置してもよい。また、該ASICはアクセスネットワーク装置、ターゲットネットワーク装置又はコアネットワーク装置に位置してもよい。もちろん、プロセッサと記憶媒体は個別の部品としてアクセスネットワーク装置、ターゲットネットワーク装置又はコアネットワーク装置に存在してもよい。
【０１４０】
当業者が認識できるように、上記1つ又は複数の例示において、本発明の実施例に説明の機能の全部又は一部は、ソフトウェア、ハードウェア、ファームウェア又はそれらの任意の組合せによって実現されてもよい。ソフトウェアで実現する場合、全部又は一部をコンピュータプログラム製品の形態で実現してもよい。前記コンピュータプログラム製品は1つ又は複数のコンピュータ指令を含む。コンピュータに前記コンピュータプログラム指令をロードして実行する場合、本発明の実施例の記載に従うフロー又は機能を全部又は一部的に生成する。前記コンピュータは汎用コンピュータ、専用コンピュータ、コンピュータネットワーク、又は他のプログラマブル装置であってもよい。前記コンピュータ指令はコンピュータ読み取り可能な記憶媒体に記憶され、又は1つのコンピュータ読み取り可能な記憶媒体から他のコンピュータ読み取り可能な記憶媒体に伝送されてもよく、例えば、前記コンピュータ指令は、1つのウェブサイト、コンピュータ、サーバ又はデータセンターから有線(例えば同軸ケーブル、光ファイバ、デジタル加入者回線（Digital Subscriber Line、DSL）)又は無線(例えば赤外線、無線、マイクロ波等)により他のウェブサイト、コンピュータ、サーバ又はデータセンターに伝送されてもよい。前記コンピュータ読み取り可能な記憶媒体は、コンピュータがアクセスできる任意の利用可能な媒体、又は1つ又は複数の利用可能な媒体を集積したサーバ、データセンター等のデータ記憶デバイスであってもよい。前記利用可能な媒体は、磁気媒体(例えば、フレキシブルディスク、ハードディスク、磁気テープ)、光媒体(例えば、デジタルビデオディスク（Digital Video Disc、DVD）)、又は半導体媒体(例えば、ソリッドステートディスク（Solid State Disk、SSD）)等であってもよい。
【０１４１】
上記具体的な実施形態は、本発明の実施例の目的、技術的手段及び有益な効果について更に詳細に説明したが、理解できるように、上記は本発明の実施例の具体的な実施形態だけであり、本発明の実施例の保護範囲を限定するものではなく、本発明の実施例の技術的手段に基づくいかなる修正、等同置き換え、改善等は、いずれも本発明の実施例の保護範囲に含まれるべきである。
【図１】
2020518158.tif 000005
【図２】
2020518158.tif 000006
【図３】
2020518158.tif 000007
【図４】
2020518158.tif 000008
【図５】
2020518158.tif 000009
【図６】
2020518158.tif 000010
【図７】
2020518158.tif 000011
【図８】
2020518158.tif 000012
【図９】
2020518158.tif 000013
【図１０】
2020518158.tif 000014
【手続補正書】
【提出日】令和2年4月6日(2020.4.6)
【手続補正１】
【補正対象書類名】明細書
【補正対象項目名】００１２
【補正方法】変更
【補正の内容】
【００１２】
第6の態様において、本発明の実施例はユーザ装置を提供し、通信システムに適用され、前記通信システムは第1のユーザ装置、第2のユーザ装置及びネットワーク装置を備え、前記ユーザ装置は第2のユーザ装置であり、処理ユニットと通信ユニットを備え、
前記処理ユニットは、前記通信ユニットにより前記第1のユーザ装置に第2のメッセージを送信することに用いられ、
前記第2のメッセージは前記第2のユーザ装置が確立する必要があるネットワーク接続の接続タイプを指示するためのものであり、前記第2のメッセージは更に、前記第1のユーザ装置がネットワーク接続を確立又は修正する必要があるかどうかを確定することに用いられる。
【手続補正２】
【補正対象書類名】明細書
【補正対象項目名】００４７
【補正方法】変更
【補正の内容】
【００４７】
更に、前記PC5のシグナリングのメッセージタイプが第3のプリセット値である場合、前記Remote  UEが確立する必要があるネットワーク接続の接続タイプがSRBであることを指示し、前記PC5のシグナリングのコンテンツタイプが第4のプリセット値である場合、前記Remote  UEが確立する必要があるネットワーク接続の接続タイプがSRB及びDRBであることを指示する。
【手続補正３】
【補正対象書類名】明細書
【補正対象項目名】００９５
【補正方法】変更
【補正の内容】
【００９５】
上記図2に示す実施例と同様に、図5を参照して、図5は本発明の実施例によるネットワーク装置の構造模式図であり、図面に示すように、該ネットワーク装置は1つ又は複数のプロセッサ、1つ又は複数のメモリ、1つ又は複数の送受信機、1つ又は複数のプログラムを備え、前記1つ又は複数のプログラムは前記メモリに記憶されて、前記1つ又は複数のプロセッサにより実行されるように設定され、前記プログラムは、
第1のユーザ装置がネットワーク接続を確立又は修正する必要があることを確定する場合に送信した第1のメッセージを受信し、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられるステップと、
前記第1のメッセージに基づいて、前記第1のユーザ装置の要求するネットワーク接続を受け入れるかどうかを確定するステップと、を実行するための指令を含む。
【手続補正４】
【補正対象書類名】明細書
【補正対象項目名】０１１５
【補正方法】変更
【補正の内容】
【０１１５】
集積されたユニットを採用する場合、図9は上記実施例に係る第2のユーザ装置のある可能な機能ユニット構成ブロック図を示す。第2のユーザ装置900は、処理ユニット901と通信ユニット902を備える。処理ユニット901は第2のユーザ装置の動作を制御して管理することに用いられ、例えば、処理ユニット901は第2のユーザ装置が図2におけるステップ201及び/又は本明細書に記載の技術のための他のプロセスを実行することをサポートするためのものである。通信ユニット902は第2のユーザ装置と他の装置との通信、例えば図4に示す第1のユーザ装置との間の通信をサポートするためのものである。第2のユーザ装置は、第2のユーザ装置のプログラムコード及びデータを記憶するための記憶ユニット903を更に備えてもよい。
【手続補正５】
【補正対象書類名】特許請求の範囲
【補正対象項目名】全文
【補正方法】変更
【補正の内容】
【特許請求の範囲】
【請求項１】
第1のユーザ装置はネットワーク接続を確立又は修正する必要があることを確定した場合、前記第1のユーザ装置はネットワーク装置に第1のメッセージを送信することを含み、
前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることを特徴とするネットワーク接続設定方法。
【請求項２】
前記第1のメッセージは更に、前記ネットワーク装置が前記第1のユーザ装置の要求するネットワーク接続を受け入れるかどうかを確定することに用いられることを特徴とする請求項1に記載の方法。
【請求項３】
前記第1のユーザ装置がネットワーク接続を確立又は修正する必要があることを確定する前に、前記方法は更に、
前記第1のユーザ装置は第2のユーザ装置が送信した第2のメッセージを受信し、前記第2のメッセージは前記第2のユーザ装置が確立する必要があるネットワーク接続の接続タイプを指示するためのものであることを含むことを特徴とする請求項1又は2に記載の方法。
【請求項４】
前記第2のユーザ装置が確立する必要があるネットワーク接続の接続タイプを前記第1のユーザ装置は確立していない場合、前記第1のユーザ装置は確立する必要があるネットワーク接続を確定し、前記第1のメッセージにより確立を要求するネットワーク接続の接続タイプは、前記第2のユーザ装置が確立する必要があるネットワーク接続の接続タイプを含むことを特徴とする請求項3に記載の方法。
【請求項５】
前記第2のメッセージはPC5のシグナリングであり、前記PC5のシグナリングのメッセージタイプは、前記第2のユーザ装置が確立する必要があるネットワーク接続の接続タイプを指示するためのものであり、又は、
前記第2のメッセージはデバイスツーデバイスの間の発見メッセージであり、前記発見メッセージはメッセージタイプを含み、前記メッセージタイプのコンテンツタイプは、前記第2のユーザ装置が確立する必要があるネットワーク接続の接続タイプを指示するためのものであることを特徴とする請求項3又は4に記載の方法。
【請求項６】
前記第1のメッセージにより確立又は修正を要求するネットワーク接続の接続タイプがSRBである場合、前記第1のメッセージはRRCメッセージであり、前記RRCメッセージは表記を含み、前記表記は前記第1のユーザ装置の要求するネットワーク接続のサービスする装置が、前記第1のユーザ装置以外の少なくとも1つのユーザ装置であることを指示することに用いられることを特徴とする請求項1〜5のいずれか1項に記載の方法。
【請求項７】
前記RRCメッセージがRRC接続要求メッセージである場合、前記表記は前記RRC接続要求メッセージにおける新たに追加された確立原因（establishment  Cause）のドメイン値であり、又は、前記表記は前記RRC接続要求メッセージにおける一定のestablishment  Causeのドメイン値であり、又は、
前記RRCメッセージがRRC接続確立完了メッセージである場合、前記表記は前記RRC接続確立完了メッセージに含まれる第1の指示情報であり、又は、
前記RRCメッセージがリンクUE情報（sidelink  UE  Information）メッセージである場合、前記表記は前記リンクUE情報メッセージに含まれる第2の指示情報であることを特徴とする請求項6に記載の方法。
【請求項８】
前記第1のメッセージにより確立を要求するネットワーク接続の接続タイプがSRBとDRBである場合、前記第1のメッセージは改善されたNASメッセージであり、又は、
前記第1のメッセージにより確立を要求するネットワーク接続の接続タイプがSRBとDRBである場合、前記第1のメッセージは改善されたRRCメッセージであることを特徴とする請求項1〜5のいずれか1項に記載の方法。
【請求項９】
ネットワーク装置は第1のユーザ装置がネットワーク接続を確立又は修正する必要があることを確定した場合に送信した第1のメッセージを受信し、前記第1のメッセージはネットワーク接続の確立又は修正を要求するためのものであり、前記ネットワーク接続の接続タイプはシグナリング無線ベアラ（SRB）及び/又はデータ無線ベアラ（DRB）を含み、前記第1のメッセージは更に、前記第1のユーザ装置の要求するネットワーク接続のサービスする装置が、前記第1のユーザ装置以外の少なくとも1つのユーザ装置であることを指示することに用いられることと、
前記ネットワーク装置は前記第1のメッセージに基づいて、前記第1のユーザ装置の要求するネットワーク接続を受け入れるかどうかを確定することと、を含むことを特徴とするネットワーク接続設定方法。
【請求項１０】
第2のユーザ装置は第1のユーザ装置に第2のメッセージを送信することを含み、
前記第2のメッセージは前記第2のユーザ装置が確立する必要があるネットワーク接続の接続タイプを指示するためのものであり、前記第2のメッセージは更に、前記第1のユーザ装置がネットワーク接続を確立又は修正する必要があるかどうかを確定することに用いられることを特徴とするネットワーク接続設定方法。
【請求項１１】
前記第2のメッセージはPC5のシグナリングであり、前記PC5のシグナリングのメッセージタイプは、前記第2のユーザ装置が確立する必要があるネットワーク接続の接続タイプを指示するためのものであることを特徴とする請求項10に記載の方法。
【請求項１２】
前記第2のメッセージはデバイスツーデバイスの間の発見メッセージであり、前記発見メッセージはメッセージタイプを含み、前記メッセージタイプのコンテンツタイプは、前記第2のユーザ装置が確立する必要があるネットワーク接続の接続タイプを指示するためのものであることを特徴とする請求項10に記載の方法。
【請求項１３】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項1〜8のいずれか1項に記載の方法におけるステップを実行するための指令を含むことを特徴とするユーザ装置。
【請求項１４】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項9に記載の方法におけるステップを実行するための指令を含むことを特徴とするネットワーク装置。
【請求項１５】
1つ又は複数のプロセッサ、1つ又は複数のメモリ、1つ又は複数の送受信機、及び1つ又は複数のプログラムを備え、前記1つ又は複数のプログラムは前記メモリに記憶されて、前記1つ又は複数のプロセッサにより実行されるように設定され、前記プログラムは、請求項10〜12のいずれか1項に記載の方法におけるステップを実行するための指令を含むことを特徴とするユーザ装置。
【国際調査報告】
2020518158.tif 000015
2020518158.tif 000016
2020518158.tif 000017
2020518158.tif 000018